(57)【要約】      （修正有）【課題】簡単な操作で雪庇を所望位置にて切断する雪庇切断装置を提供する。【解決手段】雪庇切断装置１００は、支持部材５０と、屋根２の端部３の上方において、支持部材５０によって端部３の延在方向Ａに張架されたガイドワイヤー１０と、延在方向Ａに架け渡された一対の水平部分３１と一対の水平部分３１の延在方向Ａの一端部のそれぞれから下方に垂下された一対の垂直部分３２とを有し、支持部材５０によって支持された環状の操作用ワイヤー３０と、上端がガイドワイヤー１０に沿って移動可能に支持され、下端が一方の水平部分に固定された切断用ワイヤー２０とを含んでいる。切断用ワイヤー２０は、一方の垂直部分を下方に移動させることで、一方の水平部分とともに延在方向Ａに移動する。【選択図】図１
0003223225.tif 000002
【実用新案登録請求の範囲】
【請求項１】
屋根の端部に設けられた支持部材と、
前記端部の上方において、前記支持部材によって前記端部の延在方向に張架されたガイドワイヤーと、
前記ガイドワイヤーよりも下方において、前記支持部材によって前記延在方向に架け渡された一対の第１部分と、前記一対の第１部分の前記延在方向の一端部のそれぞれから下方に垂下された一対の第２部分とを有する環状の操作用ワイヤーと、
上端が前記ガイドワイヤーに沿って移動可能に支持され、下端が前記一対の第１部分のうちの一方の前記第１部分に固定された、雪庇を切断するための切断用ワイヤーとを備えており、
前記操作用ワイヤーは、前記一対の第２部分のうちの一方の前記第２部分を下方に移動させることで、前記一対の第１部分のそれぞれが前記延在方向に沿って互いに逆方向に移動し、
前記切断用ワイヤーは、前記一方の第１部分の移動によって前記延在方向に移動することを特徴とする雪庇切断装置。
【請求項２】
前記切断用ワイヤーが、前記延在方向において、互いに離隔して複数配置されていることを特徴とする請求項１に記載の雪庇切断装置。
【請求項３】
前記支持部材は、前記ガイドワイヤーを支持する支柱と、前記支柱を支持する伸縮可能な３つの脚部とから構成された２つのガイド用支持部材を含み、
前記脚部は、その下端部にユニバーサルジョイントを介して設けられた設置用プレートを有していることを特徴とする請求項１又は２に記載の雪庇切断装置。
【考案の詳細な説明】
【技術分野】
【０００１】
本考案は、無落雪屋根又は勾配のなだらかな屋根等における雪庇切断装置に関する。
【背景技術】
【０００２】
特許文献１には、屋根の軒先部の両端の破風部に支持柱を固定し、その支持柱の頭部をワイヤーにて張架し、当該ワイヤーが通されたリングに雪庇を切断する被覆ワイヤーを吊着して設けた雪庇切断装置について記載されている。この雪庇切断装置においては、雪庇を切断する被覆ワイヤーを軒先部の一方に寄せておき、該被覆ワイヤーの下端部を反対側の軒先下に置き、雪庇が出来たときに被覆ワイヤーを手動で引き寄せる事により、リング（被覆ワイヤーの上端部）が支持柱間のワイヤーを移動して軒先部に積もった雪庇を切り落とすことが可能となる。
【先行技術文献】
【特許文献】
【０００３】
【特許文献１】特開２００１−４０９０８号公報
【考案の概要】
【考案が解決しようとする課題】
【０００４】
しかしながら、上記特許文献１に記載の雪庇切断装置においては、被覆ワイヤーで雪庇を切断する際に、被覆ワイヤーの上端部は軒先部上にて張架されたワイヤーで案内されるが、被覆ワイヤーの雪庇を切断する部分の位置が不安定となる。つまり、被覆ワイヤーを引き寄せているときに、被覆ワイヤーの雪庇を切断する部分が雪庇の表面上に逃げてしまい、雪庇を所望位置で切断できず、被覆ワイヤーの操作が非常に煩雑になるという問題がある。
【０００５】
そこで、本考案の目的は、簡単な操作で雪庇を所望位置にて切断することが可能な雪庇切断装置を提供することである。
【課題を解決するための手段】
【０００６】
本考案の雪庇切断装置は、屋根の端部に設けられた支持部材と、前記端部の上方において、前記支持部材によって前記端部の延在方向に張架されたガイドワイヤーと、前記ガイドワイヤーよりも下方において、前記支持部材によって前記延在方向に架け渡された一対の第１部分と、前記一対の第１部分の前記延在方向の一端部のそれぞれから下方に垂下された一対の第２部分とを有する環状の操作用ワイヤーと、上端が前記ガイドワイヤーに沿って移動可能に支持され、下端が前記一対の第１部分のうちの一方の前記第１部分に固定された、雪庇を切断するための切断用ワイヤーとを備えている。そして、前記操作用ワイヤーは、前記一対の第２部分のうちの一方の前記第２部分を下方に移動させることで、前記一対の第１部分のそれぞれが前記延在方向に沿って互いに逆方向に移動し、前記切断用ワイヤーは、前記一方の第１部分の移動によって前記延在方向に移動する。
【０００７】
これによると、切断用ワイヤーは、上端がガイドワイヤーで支持され、下端は操作用ワイヤーの一方の第１部分に固定されている。このため、ユーザが操作用ワイヤーの一方の第２部分を下方に移動させて切断用ワイヤーを端部の延在方向に沿って移動させても、切断用ワイヤーはその上下端が支持された状態で移動する。したがって、屋根の端部上に雪庇が形成されているときに、ユーザの簡単な操作により、当該雪庇を所望位置で切断することが可能となる。
【０００８】
また、本考案において、前記切断用ワイヤーが、前記延在方向において、互いに離隔して複数配置されていることが好ましい。これにより、切断用ワイヤーが複数配置されることで、操作用ワイヤーの一方の第２部分の操作距離を小さくすることが可能となり、操作用ワイヤーの操作がより一層簡単になる。
【０００９】
また、本考案において、前記支持部材は、前記ガイドワイヤーを支持する支柱と、前記支柱を支持する伸縮可能な３つの脚部とから構成された２つのガイド用支持部材を含み、前記脚部は、その下端部にユニバーサルジョイントを介して設けられた設置用プレートを有していることが好ましい。これにより、設置用プレートを屋根などに設置しやすくなる。
【図面の簡単な説明】
【００１０】
【図１】本考案の一実施形態に係る雪庇切断装置が屋根の端部に設けられた状態を示す概略斜視図である。
【図２】図１に示すガイド用支持部材の側面図である。
【図３】（ａ）は操作用支持部材の第１及び第２支持部の側面図であり、（ｂ）は操作用支持部材の第３支持部の側面図である。
【図４】図１に示す雪庇切断装置のガイドワイヤー、切断用ワイヤー及び操作用ワイヤーの動作状況を示す説明図である。
【考案を実施するための形態】
【００１１】
以下、本考案の一実施形態に係る雪庇切断装置について、図１〜図４を参照しつつ説明する。雪庇切断装置１００は、図１に示すように、建物１の屋根２の端部３に設けられており、屋根２上の雪庇５を切断するためのものである。雪庇切断装置１００は、ガイドワイヤー１０と、２本の切断用ワイヤー２０と、操作用ワイヤー３０と、ガイドワイヤー１０及び操作用ワイヤー３０を支持する支持部材５０とを含む。支持部材５０は、ガイドワイヤー１０を支持する２つのガイド用支持部材６０と、操作用ワイヤー３０を支持する操作用支持部材７０とを有する。
【００１２】
図１に示すように、２つのガイド用支持部材６０のうち、一方のガイド用支持部材６０は、屋根２の端部３の延在方向Ａの一端部（図１中左側端部）上に固定され、他方のガイド用支持部材６０は、端部３の他端部（図１中右側端部）上に固定される。なお、２つのガイド用支持部材６０の構成は、同様であるため、１つのガイド用支持部材６０について説明する。
【００１３】
ガイド用支持部材６０は、図２に示すように、支柱６１と、３つの脚部６２〜６４とを有している。支柱６１は、円筒部材から構成されており、上端部にはアイボルト６１ａが取り付けられている。図１に示すように、ガイドワイヤー１０の左端部は、左方に配置されたガイド用支持部材６０のアイボルト６１ａに通した後、ターンバックル６５を介して当該ガイド用支持部材６０に固定される。なお、本実施形態におけるガイドワイヤー１０の右端部は、右方のガイド用支持部材６０のアイボルト６１ａに通した後、ワイヤークリップ（不図示）にてガイドワイヤー１０に固定されているが、一端部と同様に、ターンバックルを介して右方のガイド用支持部材６０に固定されていてもよい。そして、ターンバックル６５を操作することで、ガイドワイヤー１０が２つのガイド用支持部材６０間において張架される。つまり、ガイドワイヤー１０は、２つのガイド用支持部材６０によって、端部３の上方において、延在方向Ａに張架された状態で設置される。また、本実施形態におけるガイドワイヤー１０はステンレス製のワイヤーロープに樹脂が被覆されて構成されているが、ステンレス以外の材料から構成されていてもよいし、ワイヤーロープに樹脂が被覆されていなくてもよい。
【００１４】
３つの脚部６２〜６４は、その上端が支柱６１に固定されている。各脚部６２〜６４は、外筒６２ａ〜６４ａと、内筒６２ｂ〜６４ｂと、固定用ボルト６２ｃ〜６４ｃと、ユニバーサルジョイント６２ｄ〜６４ｄと、設置用プレート６２ｅ〜６４ｅとを有している。外筒６２ａ〜６４ａ及び内筒６２ｂ〜６４ｂは、ともに円筒形状を有しており、内筒６２ｂ〜６４ｂは、外筒６２ａ〜６４ａの下端から内部に出入り可能に構成されている。固定用ボルト６２ｃ〜６４ｃは、外筒６２ａ〜６４ａの下端部に設けられており、締め込むことで内筒６２ｂ〜６４ｂを外筒６２ａ〜６４ａに対して固定可能となる。一方、固定用ボルト６２ｃ〜６４ｃを緩めることで、内筒６２ｂ〜６４ｂが外筒６２ａ〜６４ａに対して移動可能となる。このように各脚部６２〜６４は、伸縮可能な構成を有している。また、固定用ボルト６２ｃ〜６４ｃのうち、屋根２の端部先端側に配置される２つの固定用ボルト（本実施形態における固定用ボルト６２ｃ，６３ｃ）の頭の向きが屋根２の頂部側を向くように配置されている。これにより、切断用ワイヤー２０を移動させたときに、切断用ワイヤー２０が固定用ボルトに引っかからなくなる。
【００１５】
変形例として、３つの脚部６２〜６４が支柱６１に対して可動可能に構成されていてもよい。つまり、各脚部６２〜６４の上端部に円筒部を設ける。そして、これら３つの円筒部を直列に並べ、３つの円筒部内に支柱６１を貫通させて、３つの脚部６２〜６４を支柱６１の中心軸周りに回転可能に支持してもよい。このように各脚部６２〜６４が可動となり、ガイド用支持部材６０を屋根２に設置しやすくなる。また、３つの脚部６２〜６４を重ねた状態にすることが可能となり、ガイド用支持部材６０をコンパクトに収納することが可能となる。なお、３つの脚部６２〜６４のうち、１又は２の脚部だけが支柱６１に対して可動可能に構成されていてもよい。
【００１６】
ユニバーサルジョイント６２ｄ〜６４ｄは、内筒６２ｂ〜６４ｂの下端部に固定されている。設置用プレート６２ｅ〜６４ｅは、ユニバーサルジョイント６２ｄ〜６４ｄを介して脚部６２〜６４の下端部に設けられている。このように設置用プレート６２ｅ〜６４ｅがユニバーサルジョイント６２ｄ〜６４ｄを介して設けられていることで、設置用プレート６２ｅ〜６４ｅを屋根２の表面に沿わせて配置しやすくなる。このため、ガイド用支持部材６０を屋根２に固定しやすくなる。また、屋根２に段差があっても、各脚部６２〜６４が伸縮可能な構成であるため、これにおいても、ガイド用支持部材６０を屋根２に固定しやすくなる。
【００１７】
操作用支持部材７０は、図１に示すように、屋根２の鼻隠し４に固定された第１〜第３支持部７１〜７３を有する。第１支持部７１は、屋根２の端部３の一端部側に配置されている。第２支持部７２は、屋根２の端部３の延在方向Ａの中央に配置されている。第３支持部７３は、屋根２の端部３の他端部側に配置されている。
【００１８】
第１支持部７１は、図３（ａ）に示すように、Ｌ字形状の支持板７１ａと、２つのアイボルト７１ｂ，７１ｃとを有する。支持板７１ａは、水平部７１ａ１と、水平部７１ａ１に対して直交する垂直部７１ａ２とを有している。垂直部７１ａ２には、複数の貫通孔（不図示）が形成されており、これら貫通孔にビスを挿通させて鼻隠し４にねじ込むことで、第１支持部７１が屋根２の端部３に固定される。アイボルト７１ｂは水平部７１ａ１の上面側に配置され、アイボルト７１ｃは水平部７１ａ１の下面側に配置されている。これらアイボルト７１ｂ，７１ｃは、延在方向Ａと直交する直交方向（図３中左右方向）Ｂにおいて、ずれて配置されている。より詳細には、アイボルト７１ｂは、第１支持部７１が屋根２に固定されたときに、アイボルト７１ｃよりも屋根２の端部３から離れて配置される。
【００１９】
なお、第２支持部７２も第１支持部７１と同様の構成を有している。つまり、図３（ａ）中カッコ内の符号で示すように、第２支持部７２は、水平部７２ａ１及び垂直部７２ａ２を有する支持板７２ａと、二つのアイボルト７２ｂ，７２ｃとを有している。そして、第２支持部７２も、第１支持部７１と同様に、複数の貫通孔にビスを挿通させて鼻隠し４にねじ込むことで、第２支持部７２が屋根２の端部３に固定される。
【００２０】
第３支持部７３は、図３（ｂ）に示すように、Ｌ字形状の支持板７３ａと、２つの滑車７３ｂ，７３ｃとを有する。支持板７３ａは、水平部７３ａ１と、水平部７３ａ１に対して直交する垂直部７３ａ２とを有している。垂直部７３ａ２には、複数の貫通孔（不図示）が形成されており、これら貫通孔にビスを挿通させて鼻隠し４にねじ込むことで、第３支持部７３が屋根２の端部３に固定される。滑車７３ｂは水平部７３ａ１の上面側に配置され、滑車７３ｃは水平部７３ａ１の下面側に配置されている。これら滑車７３ｂ，７３ｃは、直交方向Ｂにおいて、ずれて配置されている。より詳細には、滑車７３ｂは、第３支持部７３が屋根２に固定されたときに、滑車７３ｃよりも屋根２の端部３から離れて配置されている。
【００２１】
操作用支持部材７０の第１〜第３支持部７１〜７３は、屋根２の端部３に固定された状態において、アイボルト７１ｂ，７２ｂ及び滑車７３ｂが延在方向Ａに沿って重なるように配置され、アイボルト７１ｃ，７２ｃ及び滑車７３ｃが延在方向Ａに沿って重なるように配置される。また、これらアイボルト７１ｂ，７１ｃ，７２ｂ，７２ｃ及び滑車７３ｂ，７３ｃは、図３中紙面垂直方向、すなわち、第１〜第３支持部７１〜７３が屋根２の端部３に固定された状態において、延在方向Ａに操作用ワイヤー３０を挿通可能に配置されている。
【００２２】
本実施形態における操作用ワイヤー３０は、ガイドワイヤー１０と同様な材質及び樹脂が被覆されたステンレス製のワイヤーロープから構成されているが、別の材質及び樹脂が被覆されていないワイヤーロープから構成されていてもよい。また、操作用ワイヤー３０は、図１に示すように、ガイドワイヤー１０よりも下方に配置されている。
【００２３】
操作用ワイヤー３０は、図４に示すように、延在方向Ａに沿って互いに平行に配置された一対の水平部分（第１部分）３１と、上下方向Ｃに沿って互いに平行に配置された一対の垂直部分（第２部分）３２とを有している。一対の水平部分３１は、上方に配置された水平部分３１ａと、下方に配置された水平部分３１ｂとを有する。一対の垂直部分３２は、右方に配置された垂直部分３２ａと、左方に配置された垂直部分３２ｂとを有する。水平部分３１ａは、アイボルト７１ｂ，７２ｂ及び滑車７３ｂに通され延在方向Ａに架け渡され、水平部分３１ｂは、アイボルト７１ｃ，７２ｃ及び滑車７３ｃに通され延在方向Ａに架け渡されている。水平部分３１ａは、水平部分３１ｂよりも上方に配置される。垂直部分３２ａは、水平部分３１ａの右端部から下方に垂下され、垂直部分３２ｂは、水平部分３１ｂの右端部から下方に垂下されている。
【００２４】
操作用ワイヤー３０は、環状に構成されている。つまり、ユーザが一方の垂直部分３２ａを下方に移動させると、図４に示すように、水平部分３１ａが延在方向Ａに沿って左方から右方に進み、水平部分３１ｂが延在方向Ａに沿って右方から左方に進み、垂直部分３２ｂが下方から上方に進むように、操作用ワイヤー３０が移動する。
【００２５】
本実施形態における切断用ワイヤー２０も、ガイドワイヤー１０と同様な材質及び樹脂が被覆されたステンレス製のワイヤーロープから構成されているが、別の材質及び樹脂が被覆されていないワイヤーロープから構成されていてもよい。切断用ワイヤー２０は、図１に示すように、上下方向Ｃに沿って延在し、その上端に滑車２１が設けられており、ガイドワイヤー１０に沿って移動可能に支持されている。また、切断用ワイヤー２０は、その下端が上方（一方）の水平部分３１ａに固定されている。２本の切断用ワイヤー２０は、延在方向Ａに沿って互いに離隔して配置されている。より具体的には、２本の切断用ワイヤー２０は、一方の切断用ワイヤー２０がガイドワイヤー１０の延在方向Ａの中央に配置されているときに、他方の切断用ワイヤー２０がガイドワイヤー１０の延在方向Ａの端部に配置されるように、配置されている。切断用ワイヤー２０は、操作用ワイヤー３０の移動によって雪庇を所望位置で切断するものである。
【００２６】
続いて、雪庇切断装置１００による雪庇５の切断方法について以下に説明する。図１に示すように、建物１の屋根２に、例えば、端部３から迫り出すような雪庇５が形成されているときに、ユーザが地上から操作用ワイヤー３０を操作することで、雪庇５を切断可能となる。このとき、ユーザは、図４に示すように、操作用ワイヤー３０の一方の垂直部分３２ａを下方に移動させる。すると、操作用ワイヤー３０の一方の水平部分３１ａが左方から右方に移動し、他方の水平部分３１ｂが右方から左方に移動し、他方の垂直部分３２ｂが下方から上方に移動する。このとき、ガイドワイヤー１０の延在方向Ａの中央に配置された切断用ワイヤー２０及びガイドワイヤー１０の左端部に配置された切断用ワイヤー２０が、一方の水平部分３１ａとともに左方から右方に移動する。そして、ユーザは、中央にある切断用ワイヤー２０がガイドワイヤー１０の右端部（図４中二点鎖線で示す位置）に、左端部にある切断用ワイヤー２０がガイドワイヤー１０の中央（図４中二点鎖線で示す位置）に到達するときに、一方の垂直部分３２ａの操作を停止する。このように２本の切断用ワイヤー２０を移動させることで、各切断用ワイヤー２０により、延在方向Ａにおいて、雪庇５の略半分を切断可能となり、端部３から迫り出した雪庇５全体を所望位置で切断することが可能となる。
【００２７】
以上に述べたように、本実施形態の雪庇切断装置１００によると、切断用ワイヤー２０は、上端がガイドワイヤー１０で移動可能に支持され、下端は操作用ワイヤー３０の一方の水平部分３１ａに固定されている。このため、屋根２の端部３上に雪庇５が形成されているときに、ユーザが操作用ワイヤー３０の一方の垂直部分３２ａを下方に移動させて切断用ワイヤー２０を端部３の延在方向Ａに沿って移動させても、切断用ワイヤー２０はその上下端が支持された状態で移動するため、当該雪庇５を所望位置で簡単に切断することが可能となる。
【００２８】
また、切断用ワイヤー２０が、延在方向Ａにおいて、互いに離隔して２本、配置されているため、操作用ワイヤー３０の一方の垂直部分３２ａの操作距離を小さくすることが可能となり、操作用ワイヤー３０の操作がより一層容易になる。なお、切断用ワイヤー２０は、１又は３以上設けられていてもよい。
【００２９】
以上、本考案の好適な実施の形態について説明したが、本考案は上述の実施の形態に限られるものではなく、実用新案登録請求の範囲に記載した限りにおいて様々な変更が可能なものである。例えば、上述の雪庇切断装置１００の支持部材５０は、ガイドワイヤー１０を支持するガイド用支持部材６０と、操作用ワイヤー３０を支持する操作用支持部材７０とに分かれているが、ガイドワイヤー１０及び操作用ワイヤー３０の両方を支持し、端部３の延在方向Ａの両端に設けられる２つ支持部材から構成されていてもよい。また、支持部材５０は、屋根２の端部３であればどこに設けられていてもよい。要するに、支持部材５０は端部３の延在方向Ａにガイドワイヤー１０を張架可能に構成され、操作用ワイヤー３０を移動可能に架け渡すことができればよい。
【００３０】
ガイド用支持部材６０は、ガイドワイヤー１０を固定可能な単なる支柱から構成されていてもよい。また、ガイド用支持部材６０は、１、２、４以上脚部を有していてもよいし、脚部が伸縮自在に構成されていなくてもよい。また、脚部６２〜６４にはユニバーサルジョイント６２ｄ〜６４ｄを介さずに設置用プレート６２ｅ〜６４ｅが設けられていてもよい。また、操作用支持部材７０は、端部３の延在方向Ａに離隔して配置される少なくとも２つの支持部を有しておればよい。このときの支持部は、第１支持部７１又は第３支持部７３、さらにはこれらの組み合わせによって構成されていてもよい。
【符号の説明】
【００３１】
２  屋根
３  端部
１０  ガイドワイヤー
２０  切断用ワイヤー
３０  操作用ワイヤー
３１  水平部分（第１部分）
３２  垂直部分（第２部分）
５０  支持部材
６１  支柱
６２〜６４  脚部
６２ｄ〜６４ｄ  ユニバーサルジョイント
６２ｅ〜６４ｅ  設置用プレート
１００  雪庇切断装置
【図１】
0003223225.tif 000003
【図２】
0003223225.tif 000004
【図３】
0003223225.tif 000005
【図４】
0003223225.tif 000006